(57)【要約】【課題】カメラと外部電子機器との間の情報の伝達及び電力伝達を、効率よく実施することができるカメラシステム、カメラ及び外部電子機器を提供する。【解決手段】カメラ（１０）は、外部電子機器（１００）を着脱自在に装着する装着部（１１−１）と、装着部（１１−１）に設けられ、外部電子機器（１００）との間で電力伝達を行う電気接点（１７）と、外部電子機器（１００）との間で非接触で情報の伝達を行う非接触伝達部（２１）とを備える。【選択図】図１
2008236348.tif 000002
【特許請求の範囲】
【請求項１】
外部電子機器を着脱自在に装着する装着部と、
前記装着部に設けられ、前記外部電子機器との間で電力伝達を行う電気接点と、
前記外部電子機器との間で非接触で情報の伝達を行う非接触伝達部と、
を備えるカメラ。
【請求項２】
請求項１に記載のカメラにおいて、
前記電気接点に電力を供給する電源部を備え、
前記電気接点は、前記外部電子機器に電力を供給すること、
を特徴とするカメラ。
【請求項３】
請求項１又は請求項２に記載のカメラにおいて、
前記非接触伝達部を介して前記外部電子機器との通信を行う通信制御部を備えること、
を特徴とするカメラ。
【請求項４】
請求項１から請求項３までのいずれか１項に記載のカメラにおいて、
前記電気接点に接続され、前記装着部に前記外部電子機器が装着されているか否かを確認する確認部を備えること、
を特徴とするカメラ。
【請求項５】
請求項４に記載のカメラにおいて、
前記確認部は、前記電気接点における電圧又は電流の変化により、前記装着部に前記外部電子機器が装着されているか否かを確認すること、
を特徴とするカメラ。
【請求項６】
カメラ本体部と、前記カメラ本体部に装着可能な外部電子機器とを備えたカメラシステムであって、
前記カメラ本体部の前記外部電子機器との装着部に設けられ、前記外部電子機器との間で電力伝達を行う第１の電気接点と、
前記カメラ本体部に設けられ、前記外部電子機器との間で非接触で情報の伝達を行う第１の非接触伝達部と、
前記外部電子機器に設けられ、前記カメラ本体部の前記第１の電気接点と対向する位置に設けられ、前記第１の電気接点に接触することにより電力伝達を行う第２の電気接点と、
前記外部電子機器に設けられ、前記カメラ本体部の前記第１の非接触伝達部との間で非接触で情報の伝達を行う第２の非接触伝達部と、
を備えるカメラシステム。
【請求項７】
請求項６に記載のカメラシステムにおいて、
前記第１の電気接点又は前記第２の電気接点に接続され、前記カメラ本体部に前記外部電子機器が装着されているか否かを確認する確認部を備えること、
を特徴とするカメラシステム。
【請求項８】
請求項７に記載のカメラシステムにおいて、
前記確認部は、抵抗部を有し、前記抵抗部による前記第１の電気接点又は第２の電気接点における電圧又は電流の変化により、前記カメラ本体部に前記外部電子機器が装着されているか否かを確認すること、
を特徴とするカメラシステム。
【請求項９】
請求項６から請求項８までのいずれか１項に記載のカメラシステムにおいて、
前記第２の非接触伝達部は、前記第１の電気接点から前記第２の電気接点へ伝達される電力を用いて動作すること、
を特徴とするカメラシステム。
【請求項１０】
請求項６から請求項８までのいずれか１項に記載のカメラシステムにおいて、
前記第１の非接触伝達部は、前記第２の電気接点から前記第１の電気接点へ伝達される電力を用いて動作すること、
を特徴とするカメラシステム。
【請求項１１】
請求項６から請求項１０までのいずれか１項に記載のカメラシステムにおいて、
前記カメラ本体部は、前記第１の電気接点に電力を供給する電源部を備えること、
を特徴とするカメラシステム。
【請求項１２】
請求項１１に記載のカメラシステムにおいて、
前記外部電子機器は、前記第２の非接触伝達部に電力を供給可能な第２の電源部を有し、
前記第２の電気接点を介して前記電源部から供給される電力又は前記第２の電源部から供給される電力のうちの一方を選択し、選択した電力を前記第２の非接触伝達部に供給する電力供給部を備えること、
を特徴とするカメラシステム。
【請求項１３】
カメラを着脱可能に装着する装着部と、
前記装着部に設けられ、前記カメラとの間で電力伝達を行う電気接点と、
前記カメラとの間で非接触で情報の伝達を行う非接触伝達部と、
を備える外部電子機器。
【請求項１４】
請求項１３に記載の外部電子機器において、
前記電気接点に電力を供給する電源部を備えること、
を特徴とする外部電子機器。
【請求項１５】
請求項１３又は請求項１４に記載の外部電子機器において、
前記非接触伝達部を介して前記カメラと通信を行う通信制御部を備えること、
を特徴とする外部電子機器。
【請求項１６】
請求項１３から請求項１５までのいずれか１項に記載の外部電子機器において、
前記非接触伝達部は、前記電気接点から伝達される電力を用いて動作すること、
を特徴とする外部電子機器。
【請求項１７】
請求項１６に記載の外部電子機器において、
前記非接触伝達部に電力を供給可能な電源部を有し、前記電気接点から伝達される電力又は前記電源部から供給される電力のうちの一方を選択し、選択した電力を前記非接触伝達部に供給する電力供給部を備えること、
を特徴とする外部電子機器。
【発明の詳細な説明】
【技術分野】
【０００１】
本発明は、カメラ、カメラシステム及び外部電子機器に関するものである。
【背景技術】
【０００２】
カメラ及び外部電子機器の装着において、電力や駆動指令の信号の伝達を、非接触で伝達する方法などが提案されている（例えば、特許文献１）。
しかし、特許文献１のカメラ及び交換レンズ（外部電子機器）は、電磁誘導により電気的に非接触な状態で電力供給を行い、また、接触式の接点で駆動指令などの信号伝達を行っているので、電力供給は、電力損失が大きくなり電力伝達の効率が低減し、また、カメラ及び交換レンズ間の信号伝達は、特定の電圧に設定された通信信号を使用する必要があった。
【特許文献１】特開２００４−５３８７６号公報
【発明の開示】
【発明が解決しようとする課題】
【０００３】
本発明の課題は、カメラと外部電子機器との間で、効率よく互換性を持たせて情報の伝達及び電力伝達をさせることができるカメラ、カメラシステム及び外部電子機器を提供することである。
【課題を解決するための手段】
【０００４】
本発明は、以下のような解決手段により、前記課題を解決する。なお、理解を容易にするために、本発明の実施形態に対応する符号を括弧内に付して説明するが、これに限定されるものではない。
請求項１の発明は、外部電子機器（１００）を着脱自在に装着する装着部（１１−１）と、前記装着部（１１−１）に設けられ、前記外部電子機器（１００）との間で電力伝達を行う電気接点（１７）と、前記外部電子機器（１００）との間で非接触で情報の伝達を行う非接触伝達部（２１）と、を備えるカメラ（１０）である。
請求項２の発明は、請求項１に記載のカメラにおいて、前記電気接点（１７）に電力を供給する電源部（１３）を備え、前記電気接点（１７）は、前記外部電子機器（１００）に電力を供給すること、を特徴とするカメラ（１０）である。
請求項３の発明は、請求項１又は請求項２に記載のカメラ（１０）において、前記非接触伝達部（２１）を介して前記外部電子機器（１００）との通信を行う通信制御部（２０）を備えること、を特徴とするカメラ（１０）である。
請求項４の発明は、請求項１から請求項３までのいずれか１項に記載のカメラ（１０）において、前記電気接点（１７）に接続され、前記装着部（１１−１）に前記外部電子機器（１００）が装着されているか否かを確認する確認部（１２）を備えること、を特徴とするカメラ（１０）である。
請求項５の発明は、請求項４に記載のカメラ（１０）において、前記確認部（１２）は、前記電気接点における電圧又は電流の変化により、前記装着部（１１−１）に前記外部電子機器（１００）が装着されているか否かを確認すること、を特徴とするカメラ（１０）である。
【０００５】
請求項６の発明は、カメラ本体部（１０）と、前記カメラ本体部（１０）に装着可能な外部電子機器（１００）とを備えたカメラシステム（１）であって、前記カメラ本体部（１０）の前記外部電子機器（１００）との装着部（１１−１）に設けられ、前記外部電子機器（１００）との間で電力伝達を行う第１の電気接点（１７）と、前記カメラ本体部（１０）に設けられ、前記外部電子機器（１００）との間で非接触で情報の伝達を行う第１の非接触伝達部（２１）と、前記外部電子機器（１００）に設けられ、前記カメラ本体部（１０）の前記第１の電気接点（１７）と対向する位置に設けられ、前記第１の電気接点（１７）に接触することにより電力伝達を行う第２の電気接点（１０２）と、前記外部電子機器（１００）に設けられ、前記カメラ本体部（１０）の前記第１の非接触伝達部（２１）との間で非接触で情報の伝達を行う第２の非接触伝達部（１１１）と、を備えるカメラシステム（１）である。
請求項７の発明は、請求項６に記載のカメラシステム（１）において、前記第１の電気接点（１７）又は前記第２の電気接点（１０２）に接続され、前記カメラ本体部（１０）に前記外部電子機器（１００）が装着されているか否かを確認する確認部（１２，１０３）を備えること、を特徴とするカメラシステムである。
請求項８の発明は、請求項７に記載のカメラシステム（１）において、前記確認部（１２，１０３）は、抵抗部（１０３）を有し、前記抵抗部（１０３）による前記第１の電気接点（１７）又は第２の電気接点（１０２）における電圧又は電流の変化により、前記カメラ本体部（１０）に前記外部電子機器（１００）が装着されているか否かを確認すること、を特徴とするカメラシステム（１）である。
請求項９の発明は、請求項６から請求項８までのいずれか１項に記載のカメラシステム（１）において、前記第２の非接触伝達部（１１１）は、前記第１の電気接点（１７）から前記第２の電気接点（１０２）へ伝達される電力を用いて動作すること、を特徴とするカメラシステム（１）である。
請求項１０の発明は、請求項６から請求項８までのいずれか１項に記載のカメラシステム（１）において、前記第１の非接触伝達部（２１）は、前記第２の電気接点（１０２）から前記第１の電気接点（１７）へ伝達される電力を用いて動作すること、を特徴とするカメラシステム（１）である。
請求項１１の発明は、請求項６から請求項１０までのいずれか１項に記載のカメラシステム（１）において、前記カメラ本体部（１０）は、前記第１の電気接点（１７）に電力を供給する電源部（１３）を備えること、を特徴とするカメラシステム（１）である。
請求項１２の発明は、請求項１１に記載のカメラシステム（１）において、前記外部電子機器（１００）は、前記第２の非接触伝達部（１１１）に電力を供給可能な第２の電源部（１０６）を有し、前記第２の電気接点（１０２）を介して前記電源部（１３）から供給される電力又は前記第２の電源部（１０６）から供給される電力のうちの一方を選択し、選択した電力を前記第２の非接触伝達部（１１１）に供給する電力供給部（１０７）を備えること、を特徴とするカメラシステム（１）である。
【０００６】
請求項１３の発明は、カメラ（１０）を着脱可能に装着する装着部（１０１−１）と、前記装着部（１０１−１）に設けられ、前記カメラ（１０）との間で電力伝達を行う電気接点（１０２）と、前記カメラ（１０）との間で非接触で情報の伝達を行う非接触伝達部（１１１）と、を備える外部電子機器（１００）である。
請求項１４の発明は、請求項１３に記載の外部電子機器（１００）において、前記電気接点（１０２）に電力を供給する電源部（１０６）を備えること、を特徴とする外部電子機器（１００）である。
請求項１５の発明は、請求項１３又は請求項１４に記載の外部電子機器（１００）において、前記非接触伝達部（１１１）を介して前記カメラ（１０）と通信を行う通信制御部（１１０）を備えること、を特徴とする外部電子機器（１００）である。
請求項１６の発明は、請求項１３から請求項１５までのいずれか１項に記載の外部電子機器（１００）において、前記非接触伝達部（１１１）は、前記電気接点（１０２）から伝達される電力を用いて動作すること、を特徴とする外部電子機器（１００）である。
請求項１７の発明は、請求項１６に記載の外部電子機器（１００）において、前記非接触伝達部（１１１）に電力を供給可能な電源部（１０６）を有し、前記電気接点（１０２）から伝達される電力又は前記電源部（１０６）から供給される電力のうちの一方を選択し、選択した電力を前記非接触伝達部（１１１）に供給する電力供給部（１０７）を備えること、を特徴とする外部電子機器（１００）である。
なお、本発明をわかりやすく説明するために実施形態を示す図面の符号に対応つけて説明したが、本発明は、これに限定されるものでなく、後述の実施形態の構成を適宜改良してもよく、また、少なくとも一部を他の構成物に代替させてもよい。更に、その配置について特に限定のない構成要件は、実施形態で開示した配置に限らず、その機能を達成できる位置に配置することができる。
【発明の効果】
【０００７】
本発明によれば、カメラと外部電子機器との間の電力伝達を効率よくすることができ、また、カメラと外部電子機器との間で特定の電圧に設定された通信信号を使用することなく、非接触で互換性の高い情報伝達を行うことができる。
【発明を実施するための最良の形態】
【０００８】
（第１実施形態）
以下、図面等を参照して、本発明の第１実施形態をあげて、さらに詳しく説明する。
図１は、本実施形態によるカメラシステム１の全体の概略図である。図２は、本実施形態によるカメラ、カメラシステム及び外部電子機器のブロック線図である。
【０００９】
カメラシステム１は、図１及び図２に示すように、レンズ鏡筒１００をカメラ１０に装着可能なシステムである。
カメラ１０は、カメラ筐体１１を備え、そのカメラ筐体１１の内部に、カメラ制御部１２、電源部１３、電源回路１４、給電回路１５、給電スイッチ１６、電気接点１７、通信制御部２０、非接触伝達部２１、カメラ電装部３０、非接触伝達部４０及びレリーズスイッチ５０（図１参照）を備えている。
カメラ筐体１１は、レンズ鏡筒１００を着脱自在に装着する装着部１１−１を有している。
装着部１１−１は、レンズ鏡筒１００との装着面が導電性のある金属部材で形成されており、後述の電源部１３の陰極部Ｍ１に接続され、カメラ筐体１１をグランドにしている。
【００１０】
カメラ制御部１２は、カメラ１０の各部を制御するマイクロコンピュータであり、カメラ１０の電源からの電力供給を制御したり、カメラ電装部３０を制御したり、後述のレンズ鏡筒１００のレンズ機構部１２０の駆動指令を、通信制御部２０を介して送信したりする。
また、カメラ制御部１２は、レンズ鏡筒１００がカメラ１０に装着されているか否かの判断を、電気接点１７を介して、後述のレンズ鏡筒１００に設けられた抵抗部１０３の抵抗値（例えば、４７ｋΩ）による電圧（又は電流）の変化を検出することにより判断している。カメラ制御部１２は、その電圧の変化から、レンズ鏡筒１００が装着されていると確認したときに、給電スイッチ１６をＯＮ（電力供給）の状態にして、電気接点１７へ電力を供給させている。
ここで、後述の給電スイッチ１６には、スイッチを短絡するように抵抗部１６ａ（例えば、１００ｋΩ）が設けられている。そのため、カメラ制御部１２は、給電スイッチ１６がＯＦＦの状態であっても、抵抗部１６ａの両端の電圧信号（Ｖ１及びＶ２）を検出することができ、その検出結果によってカメラ１０にレンズ鏡筒１００が装着されているか否かを確認することができる。
【００１１】
仮に、カメラ１０にレンズ鏡筒１００が装着されていないと判断した場合は、カメラ制御部１２は、給電スイッチ１６をＯＦＦの状態にする信号を出力し、電気接点１７への電力供給を遮断する。このようにすることで、カメラ制御部１２は、レンズ鏡筒１００がカメラ１０に装着されていないときに、カメラ筐体１１の装着部１１−１に表出する電気接点１７が、電気ショートを発生させるなどの危険性を回避することができる。
【００１２】
また、カメラ制御部１２は、撮影モードと低消費電力モードとを有し、不図示の電源スイッチが入った状態におけるカメラ１０の使用状態に応じて、カメラ１０の各部への電力供給を制限し、消費電力を低減させている。
具体的には、撮影モードは、被写体の撮影を即時に実施することができるように、カメラ制御部１２が、カメラ１０及びレンズ鏡筒１００の各部に電力を供給させている。これに対し、低消費電力モードは、カメラ１０の撮影動作が特定の時間実施されないときに、カメラ制御部１２が、信号ＣＴＬ１を電源回路１４に送信し、電源回路１４から供給される電力を遮断し、また、後述の給電スイッチ１６をＯＦＦの状態にして、消費電力を低減させている。ここで、信号ＣＴＬ１は、カメラ制御部１２が電源回路１４に対し送信する信号であり、電源回路１４に電力を供給させるか否かの指令が含まれている。
【００１３】
撮影モードから低消費電力モードへの切り替えは、レリーズスイッチ５０が、特定の時間（例えば、５分）操作されなかったときに切り替わり、また、低消費電力モードから撮影モードへの切り替えは、レリーズスイッチ５０が半押しなどの操作が行われたときに切り替わる。
以上の構成により、カメラ制御部１２は、レンズ鏡筒１００がカメラ１０に装着されたことを確認し、かつ、レリーズスイッチ５０が操作されて撮影モードへと切り替わったときに、後述の給電スイッチ１６をＯＮ（電力供給）の状態に切り替え、カメラ１０からレンズ鏡筒１００に電源部１３の電力を供給することができる。
【００１４】
電源部１３は、陽極部Ｐ１及び陰極部Ｍ１を有し、カメラ１０の各部に電力を供給する電池であり、電源部１３の陽極部Ｐ１には、電源回路１４、給電回路１５、給電スイッチ１６及びカメラ電装部３０が接続されている。また、電源部１３の陰極部Ｍ１には、カメラ制御部１２、電源回路１４、後述の電気接点１７の陰極接点１７ｂ、通信制御部２０及びカメラ電装部３０が接続されている。
電源回路１４は、電源部１３から供給される電力の電圧を安定させて、カメラ１０の給電回路１５及び通信制御部２０に供給する電源安定化回路である。例えば、電源部１３が６Ｖの電源を供給している場合、電源回路１４は、電源部１３から供給された電力の電圧を５．１Ｖに調整して出力する。電圧を５．１Ｖに調整することによって、電源部１３の電圧（６Ｖ）が低下したとき（例えば、５．５Ｖ）においても、電圧の変化に影響されることなく、安定した電圧（５．１Ｖ）を通信制御部２０に供給することができる。
また、電源回路１４は、前述のカメラ制御部１２から送信される信号ＣＴＬ１の内容に応じて、電源回路１４から電力を出力したり、遮断したりする。
【００１５】
給電回路１５は、シリコンダイオード１５ａを介して供給される電源部１３の電力と、ショットキーダイオード１５ｂを介して供給される電源回路１４の電力とを入力し、電圧の高い方を選択してカメラ制御部１２に供給する回路である。具体的には、給電回路１５は、カメラ１０が撮影モードである場合には、電源回路１４で安定化された電力をカメラ制御部１２に供給し、カメラ１０が低消費電力モードである場合には、電源部１３から直接供給される電力をカメラ制御部１２に供給する。
ここで、給電回路１５は、上述したように、電源部１３から供給される電圧（６Ｖ）を、シリコンダイオード１５ａを介して４．８Ｖに低減させ、また、電源回路１４から供給される電圧（５．１Ｖ）を、ショットキーダイオード１５ｂを介して４．８Ｖに低減させており、上述のカメラ１０のモードに応じて、それらの電圧の高い方をカメラ制御部１２に供給している。
【００１６】
給電スイッチ１６は、電気接点１７に電源部１３の電力を供給するか否かを切り替えるＯＮ／ＯＦＦスイッチであり、レンズ鏡筒１００がカメラ１０に装着され、かつ、カメラ１０が撮影モードであるとカメラ制御部１２が判断したときにＯＮ（電力供給）の状態になる。また、前述したように、給電スイッチ１６には、スイッチを短絡するように抵抗部１６ａ（１００ｋΩ）が設けられている。
電気接点１７は、カメラ筐体１１の装着部１１−１に設けられ、電源部１３の電力を、後述のレンズ鏡筒１００に設けられた電気接点１０２に伝達させる接触式の接点であり、電源部１３の陽極部Ｐ１に接続された陽極接点１７ａと、陰極部Ｍ１に接続された陰極接点１７ｂを有している。
アッテネータ１８は、カメラ制御部１２に入力される電源部１３と給電スイッチ１６との間の電圧（Ｖ２）の検出値を減衰させる減衰器である。
【００１７】
通信制御部２０は、後述のレンズ鏡筒１００のレンズ制御部１１０との通信を管理するマイクロコンピュータであり、例えば、カメラ１０の操作開始の信号（操作開始信号）や、後述のレンズ鏡筒１００のレンズ機構部１２０を駆動する駆動信号などを、レンズ制御部１１０に送信したり、レンズ制御部１１０から送信結果などの信号を受信したりする。また、通信制御部２０は、電源回路１４に接続され、電源回路１４の安定化された電力が供給されることにより動作する。
【００１８】
非接触伝達部２１は、通信制御部２０に接続され、通信制御部２０と後述のレンズ鏡筒１００のレンズ制御部１１０との間での通信において、非接触で情報の伝達を行う伝達部であり、例えば、発光部と受光部とを一対にし、光を発することにより情報を非接触で伝達するフォトカプラである。ここで、非接触での情報の伝達とは、相対する伝達部（発光部及び受光部）が非接触（例えば、光、磁気、電波など）で情報を伝達することであり、前述の発光部及び受光部を例にすると、発光部に透明の樹脂などをモールドし、そのモールド部と受光部が接触していたとしても、本願の非接触に相当する。
本実施形態では、非接触伝達部２１は３つ備えられ、それぞれが２１ａ、２１ｂ、２１ｃとなる。非接触伝達部２１は、前述したように、フォトカプラであるので、それ自体だけでは機能せず、後述のレンズ鏡筒１００に備えられた非接触伝達部１１１と対になることによって、情報を非接触で伝達することができる。
【００１９】
具体的には、双方向での通信の場合を例に説明すると、非接触伝達部２１は、光を発光する発光部（例えば、発光ダイオード）及び光を受光する受光部（例えば、フォトトランジスタ）を備えており、それと対になる非接触伝達部１１１も同様に、発光部及び受光部を備えている。この構成によって、非接触伝達部２１の発光部が光を発光した場合、非接触伝達部１１１の受光部がその光を受光し、非接触伝達部２１から非接触伝達部１１１に特定の情報を送信することができる。また、非接触伝達部１１１の発光部が光を発光した場合、非接触伝達部２１の受光部がその光を受光し、非接触伝達部１１１から非接触伝達部２１に特定の情報を送信することができる。
【００２０】
カメラ電装部３０は、カメラ１０のシャッタ機構やミラー機構、閃光発光装置などの複数の電装系の駆動部であり、電源部１３と接続され、カメラ制御部１２から受信した駆動指令に基づいて各電装系を動作させる。
非接触伝達部４０は、カメラ制御部１２に接続され、後述のレンズ鏡筒１００の非接触伝達部１３０との信号伝達を非接触で行う伝達部であり、非接触伝達部２１と同様の発光部と受光部とを一対にしたフォトカプラである。また、非接触伝達部４０は、非接触伝達部２１と同様にそれ自体だけでは機能せず、後述の非接触伝達部１３０と対になることによって、レンズ機構部１２０の情報を非接触で伝達することができる。
【００２１】
レリーズスイッチ５０は、カメラ制御部１２や通信制御部２０に接続され、被写体像の撮影を実行する操作スイッチである。本実施形態では、レリーズスイッチ５０は、半押しされることで、カメラ１０を低消費電力モードから撮影モードにしたり、レンズ鏡筒１００でオートフォーカスを機能させたりし、全押しされることで、被写体の撮影を実行する。
【００２２】
レンズ鏡筒１００は、鏡筒筐体１０１を備え、その鏡筒筐体１０１の内部に、電気接点１０２、抵抗部１０３、電源回路１０４、電圧調整器１０５、レンズ制御部１１０、レンズ機構部１２０及び非接触伝達部１３０を備えている。
鏡筒筐体１０１は、カメラ１０と着脱自在に装着される装着部１０１−１と、カメラ１０とレンズ鏡筒１００とのグランドを共通にするピン１０１−２を有している。
ピン１０１−２は、鏡筒筐体１０１の装着部１０１−１に設けられた導電性の部材であり、レンズ鏡筒１００がカメラ１０に装着される際に、カメラ筐体１１の装着部１１−１と接触することで、レンズ鏡筒１００とカメラ１０とのグランドを共通にしている。
【００２３】
電気接点１０２は、カメラ１０の電源部１３の電力をレンズ鏡筒１００に供給する接点であり、鏡筒筐体１０１の装着部１０１−１上の、カメラ１０の電気接点１７の対応する位置に設けられている。電気接点１０２は、カメラ１０の陽極接点１７ａと接触する陽極接点１０２ａと、カメラ１０の陰極接点１７ｂと接触する陰極接点１０２ｂとを備えている。電気接点１０２は、カメラ１０にレンズ鏡筒１００が装着されたときに、カメラ１０の電気接点１７と接触して導通し、電気接点１０２に接続された電源回路１０４や、電圧調整器１０５、レンズ機構部１２０に電力を供給する。
陽極接点１０２ａは、抵抗部１０３、電源回路１０４、電圧調整器１０５及びレンズ機構部１２０に接続され、陰極接点１０２ｂは、抵抗部１０３、電源回路１０４、レンズ制御部１１０及びレンズ機構部１２０に接続されている。
抵抗部１０３は、前述したように、カメラ１０のカメラ制御部１２が、カメラ筐体１１にレンズ鏡筒１００が装着されているか否かを確認するための抵抗である。
【００２４】
電源回路１０４は、後述のレンズ制御部１１０から送信される信号ＣＴＬ２を受信したときに、電源部１３から電気接点１０２を介して供給される電力の電圧を安定させて、レンズ鏡筒１００のレンズ制御部１１０及びレンズ機構部１２０に供給する電源安定化回路である。本実施形態では、電源部１３が６Ｖの電力を供給しているので、電源回路１０４は、電源部１３から供給された電力の電圧を３Ｖに調整して出力する。電圧を３Ｖに調整することによって、電源部１３の電圧（６Ｖ）が低下したとき（例えば、５．５Ｖ）においても、電圧の変化に影響されることなく、安定した電圧（３Ｖ）をレンズ制御部１１０及びレンズ機構部１２０に供給することができる。
電圧調整器１０５は、電気接点１０２を介して供給される電源部１３の電圧（６Ｖ）を１．５Ｖに変換して、レンズ制御部１１０、非接触伝達部１１１及び非接触伝達部１３０に供給する変圧器である。
【００２５】
レンズ制御部１１０は、レンズ鏡筒１００の各部を統括制御するマイクロコンピュータであり、後述の非接触伝達部１１１を介して、前述の通信制御部２０からカメラ１０の操作開始信号や、レンズ機構部１２０への駆動信号などを受信したり、レンズ鏡筒１００の動作情報などをカメラ１０に送信したりする。
また、レンズ制御部１１０は、前述のカメラ制御部１２と同様に、撮影モードと低消費電力モードとを有しており、カメラ１０の撮影モード及び低消費電力モードに連動している。レンズ制御部１１０は、カメラ１０の給電スイッチ１６がＯＦＦの状態のとき、給電が遮断されているので、完全に動作停止となっており、給電スイッチ１６がＯＮの状態になったときに、低消費電力モードで動作する。このとき、カメラ１０から操作開始信号を、非接触伝達部１１１を介して受信したときに、レンズ制御部１１０は、撮影モードへと切り替わり、電源回路１０４から電力を出力させる信号ＣＴＬ２を、電源回路１０４に送信する。ここで、信号ＣＴＬ２は、レンズ制御部１１０が電源回路１０４に対し送信する信号であり、電源回路１０４に電力を供給させるか否かの指令が含まれている。
【００２６】
非接触伝達部１１１は、レンズ制御部１１０に接続され、通信制御部２０とレンズ制御部１１０との間での通信において、非接触で情報の伝達を行うことができるフォトカプラであり、上述したように、非接触伝達部２１と対になることで非接触での情報の伝達が可能となる。また、非接触伝達部１１１は、カメラ１０に設けられた非接触伝達部２１ａ、２１ｂ、２１ｃに対応するように、非接触伝達部１１１ａ、１１１ｂ、１１１ｃが設けられている。
レンズ機構部１２０は、ブレ補正機構部１２１、ＡＦ機構部１２２、ＡＦ回路部１２３及び制御回路１２４を備えている。
【００２７】
ブレ補正機構部１２１は、レンズ鏡筒１００を装着したカメラ１０で被写体を撮影する撮影者の手振れによる振動が、レンズ鏡筒１００の不図示のレンズに伝わるのを低減させる機構であり、３台のボイスコイルモータ（ＶＣＭ）を備え、それぞれが電気接点１０２の陽極接点１０２ａ及び陰極接点１０２ｂに接続されている。
また、３台のＶＣＭは、Ｘ軸用ＶＣＭ１２１ａ、Ｙ軸用ＶＣＭ１２１ｂ及び固定用ＶＣＭ１２１ｃで構成され、Ｘ軸用ＶＣＭ１２１ａ及びＹ軸用ＶＣＭ１２１ｂは、不図示のレンズに伝わる振動を低減させるために駆動する。また、固定用ＶＣＭ１２１ｃは、ブレ補正機構部１２１を使用しないときに、不図示のレンズを特定の位置に固定させるために使用される。ブレ補正機構部１２１は、後述の制御回路１２４から出力される駆動指令に基づいて各ＶＣＭを駆動させている。
【００２８】
ＡＦ機構部１２２は、被写体を撮影するときに使用するオートフォーカスを行う機構であり、超音波モータ（ＳＷＭ）を備えており、電気接点１０２の陰極接点１０２ｂと、ＡＦ回路部１２３を介して電源回路１０４とに接続されている。
ＡＦ回路部１２３は、ＡＦ機構部１２２の超音波モータを駆動する回路であり、電源回路１０４から入力した直流３Ｖの電圧を、交流２００Ｖに変換するトランスも含まれている。また、ＡＦ回路部１２３は、後述の制御回路１２４から出力される駆動指令に基づいて、ＡＦ機構部１２２の超音波モータを駆動させることにより、オートフォーカス用レンズを駆動する。
【００２９】
制御回路１２４は、電源回路１０４と電気接点１０２の陰極接点１０２ｂとに接続され、３Ｖの電圧が供給されて動作し、ブレ補正機構部１２１及びＡＦ機構部１２２を、レンズ制御部１１０が通信制御部２０から受信する駆動信号に基づいて、駆動指令を演算して出力する回路である。さらに、制御回路１２４は、ＡＦ機構部１２２の超音波モータの移動量に応じたパルス信号を、カメラ制御部１２にフィードバックするために、非接触伝達部１３０に出力する。
非接触伝達部１３０は、カメラ制御部１２とレンズ機構部１２０の制御回路１２４との間での通信において、非接触で情報の伝達を行うことができるフォトカプラであり、上述したように、非接触伝達部４０と対になることで非接触での情報の伝達が可能となる。非接触伝達部１３０は、レンズ機構部１２０の制御回路１２４に接続されており、カメラ１０に対して非接触での情報の伝達を行うことができる。
【００３０】
次に、カメラシステム１の動作について説明する。
カメラ１０は、不図示の主電源が入った状態であり、かつ、低消費電力モードであるときに、電源部１３から直接供給される電力によって、カメラ１０のカメラ制御部１２のみが動作している。撮影者により、レリーズスイッチ５０が操作されたとき、カメラ制御部１２は、撮影モードに切り替わり、電源回路１４に信号ＣＴＬ１を送信して、電源回路１４から安定化された電力を給電回路１５及び通信制御部２０に供給させる。このとき、給電回路１５は、カメラ制御部１２に供給される電力を、電源部１３から直接供給される電力から、電源回路１４で供給される電力へと切り替えている。
【００３１】
また、同時に、カメラ制御部１２は、給電スイッチ１６に設けられた抵抗部１６ａを介してレンズ鏡筒１００に設けられた抵抗部１０３の有無による電圧の変化を検出し、カメラ１０にレンズ鏡筒１００が装着されているか否かを確認する。
レンズ鏡筒１００がカメラ１０に装着されていると判断した場合、カメラ制御部１２は、給電スイッチ１６をＯＮの状態にして、電源部１３の電力を、電気接点１７及び電気接点１０２を介してレンズ鏡筒１００に供給する。仮に、レンズ鏡筒１００がカメラ１０に装着されていないと判断した場合、カメラ制御部１２は、給電スイッチ１６をＯＦＦの状態に維持し、電気接点１７に電力を通電させない。電気接点１７に電力を通電しないことで、電気接点１７における電気ショートなどの危険性を防止している。
【００３２】
電気接点１０２を介してレンズ鏡筒１００に供給された電力は、電源回路１０４及び電圧調整器１０５に供給される。電圧調整器１０５は、電源部１３から供給された電力の電圧を１．５Ｖに変換して、レンズ制御部１１０、非接触伝達部１１１及び非接触伝達部１３０に供給する。電圧調整器１０５を介して電源部１３の電力が供給されたら、レンズ制御部１１０は、低消費電力モードで動作を開始する。また、レンズ制御部１１０は、カメラ１０の通信制御部２０から、カメラ１０の操作開始にともなって発信される信号（操作開始信号）を、非接触伝達部１１１を介して受信するまでは、低消費電力モードで動作し続ける。
仮に、レンズ制御部１１０が特定の時間内（５分）に操作開始信号を受信しなかった場合、カメラ１０は、低消費電力モードとなり、レンズ制御部１１０の電源は遮断される。
【００３３】
通信制御部２０から、カメラ１０の操作開始信号を受信したら、レンズ制御部１１０は、撮影モードに切り替わり、電源回路１０４から電力を出力させる信号ＣＴＬ２を、電源回路１０４に送信し、電源回路１０４は、レンズ制御部１１０及びレンズ機構部１２０に安定化させた電力を供給する。電力が供給されることにより、カメラ１０及びレンズ鏡筒１００は、撮影可能な状態となり、レリーズスイッチ５０の操作により、カメラ電装部３０や、レンズ機構部１２０を作動させて、被写体像が撮影者によって撮影される。
【００３４】
以上より、本実施形態のカメラシステムには以下のような効果がある。
（１）カメラシステム１は、電力伝達を行う電気接点１７及び電気接点１０２と、非接触での情報の伝達を行う非接触伝達部２１及び非接触伝達部１１１とを備えているので、電力をカメラ１０からレンズ鏡筒１００へと効率よく伝達することができ、また、特定の電圧に設定された信号を送信あるいは受信することなく、非接触で互換性の高い信号によってカメラ１０及びレンズ鏡筒１００の間を通信することができる。
（２）カメラシステム１は、電気接点１０２に接続された抵抗部１０３と、カメラ１０にレンズ鏡筒１００が装着されているか否かを確認するカメラ制御部１２とを備えているので、カメラ１０にレンズ鏡筒１００が装着されていない状態で、電気接点１７に電力を通電するのを防ぎ、電気接点１７における電気ショートを防止することができる。
【００３５】
（３）非接触伝達部１１１は、カメラ１０の電気接点１７からレンズ鏡筒１００の電気接点１０２へと伝達される電力を用いて動作しているので、カメラ１０及びレンズ鏡筒１００との間で、非接触伝達部１１１に供給する電圧を一致させる必要がなくなり、高い互換性を持たせて、カメラ１０及びレンズ鏡筒１００を最適に設計することができる。
【００３６】
（第２実施形態）
図３は、本発明によるカメラ、カメラシステム及び外部電子機器の第２実施形態を示すブロック線図である。なお、第２実施形態の説明では、前述した実施形態１と同様な機能を果たす部分には、同一の符号又は末尾に統一した符号を付して、重複する説明や図面を適宜省略する。
第２実施形態と第１実施形態との相違点は、図３に示すように、実施形態１のレンズ鏡筒１００の抵抗部１０３の周辺に、電源部１０６及び給電回路１０７が追加された点である。
電源部１０６は、陽極部Ｐ２及び陰極部Ｍ２を有し、レンズ鏡筒１００の各部に電力を供給する電池である。電源部１０６の陽極部Ｐ２は、給電回路１０７に接続され、陰極部Ｍ２は、電気接点１０２の陰極接点１０２ｂに接続されている。
【００３７】
給電回路１０７は、シリコンダイオード１０７ａを介して供給される電源部１３の電力と、シリコンダイオード１０７ｂを介して供給される電源部１０６の電力とを入力し、いずれか電圧の高い方を選択して、電源回路１０４、電圧調整器１０５及びレンズ機構部１２０に供給する回路である。具体的には、給電回路１０７は、カメラ１０が撮影モードであるときに、電源部１３から供給される電力の電圧値と、電源部１０６から供給される電力の電圧値とを比較し、大きい電圧値を示す電力を選択する。こうすることで、電源部１３又は電源部１０６の一方が、急激に電圧が低下した場合でも、安定してレンズ鏡筒１００の各部に電力を供給することができる。
レンズ制御部１１０は、給電スイッチ１６がＯＦＦの状態のときは、低消費電力モードで動作しており、カメラ１０のカメラ制御部１２がレンズ鏡筒１００の装着を確認したときに、給電スイッチ１６がＯＮの状態になり、さらに、カメラ１０の操作開始信号を、カメラ１０から非接触伝達部１１１を介して受信したときに、撮影モードへと切り替わる。
【００３８】
以上より、本実施形態のカメラシステム１のレンズ鏡筒１００は、非接触伝達部１１１に電力を供給可能な電源部１０６を有し、電気接点１０２を介して電源部１３から供給される電力又は電源部１０６から供給される電力のうち電圧の高い方を選択し、選択した電力を非接触伝達部１１１に供給する給電回路１０７を備えているので、電源部１３又は電源部１０６の一方が、急激に電圧が低下した場合でも、安定してレンズ鏡筒１００の各部に電力を供給することができる。
【００３９】
（変形例）
以上説明した実施形態に限定されることなく、種々の変形や変更が可能である。
（１）各実施形態では、レンズ制御部１１０は、給電スイッチ１６がＯＮの状態になったときに、低消費電力モードで動作し、さらに、カメラ１０の操作開始信号を、非接触伝達部１１１を介して受信したときに、撮影モードへと切り替えていたが、給電スイッチ１６がＯＮの状態になった時点で、撮影モードに切り替えてもよい。
【００４０】
（２）各実施形態では、カメラ１０の電源部１３の電力を、レンズ鏡筒１００の非接触伝達部１１１に供給していたが、第２実施形態の電源部１０６の電力を、カメラ１０の非接触伝達部２１に供給してもよい。
（３）各実施形態では、非接触伝達部として、光により非接触での情報の伝達を行うフォトカプラを用いたが、磁気や電波などの他の非接触での情報伝達方式を用いてもよい。
【図面の簡単な説明】
【００４１】
【図１】本発明の実施形態によるカメラ、カメラシステム及び外部電子機器の全体を示す模式図である。
【図２】本発明の第１実施形態によるカメラ、カメラシステム及び外部電子機器を示すブロック線図である。
【図３】本発明の第２実施形態によるカメラ、カメラシステム及び外部電子機器を示すブロック線図である。
【符号の説明】
【００４２】
１：カメラシステム、１０：カメラ、１１：カメラ筐体、１２：カメラ制御部、１３：電源部、１４：電源回路、１５：給電回路、１６：給電スイッチ、１７：電気接点、２０：通信制御部、２１：非接触伝達部、３０：カメラ電装部、１００：レンズ鏡筒、１０１：鏡筒筐体、１０２：電気接点、１０３：抵抗部、１０４：電源回路、１０５：電圧調整器、１０６：電源部、１０７：給電回路、１１０：レンズ制御部、１１１：非接触伝達部、１２０：レンズ機構部
【図１】
2008236348.tif 000003
【図２】
2008236348.tif 000004
【図３】
2008236348.tif 000005